(57)【要約】【課題】文書データの印刷時、アノテーションのみのページやページ本文全体がアノテーションに蔽われているページをユーザ操作を介さずに印刷対象外にすることが可能な印刷装置、印刷データ出力装置、印刷方法、印刷データ出力方法、コンピュータプログラムを提供すること。【解決手段】ページ本文とアノテーションとを含み得る文書データ１１０の入力を受け付ける文書入力部１３０と、入力された文書データ１１０の各ページに対して、アノテーションのみのページか否かを判断する文書判断部１４０と、文書判断部１４０の判断結果に基づいて、アノテーションのみのページを除く文書データ１１０のページを印刷する印刷部１５０とを有することを特徴とする印刷装置１８０が提供される。【選択図】図１
2007276377.tif 000002
【特許請求の範囲】
【請求項１】
ページ本文とアノテーションとを含み得る文書データの入力を受け付ける文書入力部と、
前記入力された文書データの各ページに対して、アノテーションのみのページか否かを判断する文書判断部と、
前記文書判断部の判断結果に基づいて、アノテーションのみのページを除く前記文書データのページを印刷する印刷部と、
を有することを特徴とする、印刷装置。
【請求項２】
ページ本文とアノテーションとを含み得る文書データの入力を受け付ける文書入力部と、
前記入力された文書データの各ページに対して、ページ本文全体が不透過なアノテーションに蔽われるページか否かを判断する文書判断部と、
前記文書判断部の判断結果に基づいて、ページ本文全体が不透過なアノテーションに蔽われるページを除く、前記文書データのページを印刷する印刷部と、
を有することを特徴とする、印刷装置。
【請求項３】
ページ本文とアノテーションとを含み得る文書データの入力を受け付ける文書入力部と、
前記入力された文書データの各ページに対して、アノテーションのみのページか否かを判断する文書判断部と、
前記文書判断部の判断結果に基づいて、アノテーションのみのページを除く前記文書データのページを印刷データとして出力する印刷データ出力部と、
を有することを特徴とする、印刷データ出力装置。
【請求項４】
ページ本文とアノテーションとを含み得る文書データの入力を受け付ける文書入力部と、
前記入力された文書データの各ページに対して、ページ本文全体が不透過なアノテーションに蔽われるページか否かを判断する文書判断部と、
前記文書判断部の判断結果に基づいて、ページ本文全体が不透過なアノテーションに蔽われるページを除く、前記文書データのページを印刷データとして出力する印刷データ出力部と、
を有することを特徴とする、印刷データ出力装置。
【請求項５】
ページ本文とアノテーションとを含み得る文書データの入力を受け付ける文書入力工程と、
前記入力された文書データの各ページに対して、アノテーションのみのページか否かを判断する文書判断工程と、
前記文書判断工程の判断結果に基づいて、アノテーションのみのページを除く前記文書データのページを印刷する印刷工程と、
を有することを特徴とする、印刷方法。
【請求項６】
ページ本文とアノテーションとを含み得る文書データの入力を受け付ける文書入力工程と、
前記入力された文書データの各ページに対して、ページ本文全体が不透過なアノテーションに蔽われるページか否かを判断する文書判断工程と、
前記文書判断工程の判断結果に基づいて、ページ本文全体が不透過なアノテーションに蔽われるページを除く、前記文書データのページを印刷する印刷工程と、
を有することを特徴とする、印刷方法。
【請求項７】
ページ本文とアノテーションとを含み得る文書データの入力を受け付ける文書入力工程と、
前記入力された文書データの各ページに対して、アノテーションのみのページか否かを判断する文書判断工程と、
前記文書判断工程の判断結果に基づいて、アノテーションのみのページを除く前記文書データのページを印刷データとして出力する印刷データ出力工程と、
を有することを特徴とする、印刷データ出力方法。
【請求項８】
ページ本文とアノテーションとを含み得る文書データの入力を受け付ける文書入力工程と、
前記入力された文書データの各ページに対して、ページ本文全体が不透過なアノテーションに蔽われるページか否かを判断する文書判断工程と、
前記文書判断工程の判断結果に基づいて、ページ本文全体が不透過なアノテーションに蔽われるページを除く、前記文書データのページを印刷データとして出力する印刷データ出力工程と、
を有することを特徴とする、印刷データ出力方法。
【請求項９】
ページ本文とアノテーションとを含み得る文書データの入力を受け付ける文書入力工程と、
前記入力された文書データの各ページに対して、アノテーションのみのページか否かを判断する文書判断工程と、
前記文書判断工程の判断結果に基づいて、アノテーションのみのページを除く前記文書データのページを印刷データとして出力する印刷データ出力工程と、
をコンピュータに行わせるための、コンピュータプログラム。
【請求項１０】
ページ本文とアノテーションとを含み得る文書データの入力を受け付ける文書入力工程と、
前記入力された文書データの各ページに対して、ページ本文全体が不透過なアノテーションに蔽われるページか否かを判断する文書判断工程と、
前記文書判断工程の判断結果に基づいて、ページ本文全体が不透過なアノテーションに蔽われるページを除く、前記文書データのページを印刷データとして出力する印刷データ出力工程と、
をコンピュータに行わせるための、コンピュータプログラム。
【発明の詳細な説明】
【技術分野】
【０００１】
本発明は、印刷装置、印刷データ出力装置、印刷方法、印刷データ出力方法、コンピュータプログラムに係り、特にページ本文とアノテーションとを含み得る文書データを印刷する場合に用いられる印刷装置、印刷データ出力装置、印刷方法、印刷データ出力方法、コンピュータプログラムに関する。
【背景技術】
【０００２】
従来から、文書データに対する付加情報としてのアノテーションの編集方法や付加方法、管理方法などに関しては多くの先行技術が存在する（たとえば、特許文献２を参照）。その中でアノテーションを勘案した印刷方法としては、文書データの印刷範囲からはみ出しているアノテーションを上記印刷範囲内に収める技術が提案されている（たとえば、特許文献１を参照。）。
【０００３】
また、文書データ印刷時において、ユーザが画面操作を介して印刷対象のアノテーションを選択して、印刷出力する技術が提案されている（たとえば、特許文献３を参照。）。
【０００４】
【特許文献１】特開平８−２９２７５５号公報
【特許文献２】特開平１０−２８７０１５号公報
【特許文献３】特開２００５−２５５４８号公報
【発明の開示】
【発明が解決しようとする課題】
【０００５】
しかし、文書データ印刷時において、アノテーションのみのページやページ本文全体がアノテーションに蔽われているページを白紙節約の観点から印刷対象外にする場合、ユーザ操作を介した指示を行う必要があり、ユーザに負担をかける問題があった。特に、大量ページを含む文書データを印刷するときにユーザへの負担が顕著であり、文書データをユーザ操作を介した指示を行わずに直接印刷することは困難であった。
【０００６】
そこで、本発明は、文書データの印刷時、アノテーションのみのページやページ本文全体がアノテーションに蔽われているページをユーザ操作を介さずに印刷対象外に設定することが可能な、新規かつ改良された印刷装置、印刷データ出力装置、印刷方法、印刷データ出力方法、コンピュータプログラムを提供する。
【課題を解決するための手段】
【０００７】
本発明の第１の観点によれば、ページ本文とアノテーションとを含み得る文書データの入力を受け付ける文書入力部と、上記入力された文書データの各ページに対して、アノテーションのみのページか否かを判断する文書判断部と、上記文書判断部の判断結果に基づいて、アノテーションのみのページを除く上記文書データのページを印刷する印刷部とを有することを特徴とする、印刷装置が提供される。
【０００８】
本発明の第２の観点によれば、ページ本文とアノテーションとを含み得る文書データの入力を受け付ける文書入力部と、上記入力された文書データの各ページに対して、ページ本文全体が不透過なアノテーションに蔽われるページか否かを判断する文書判断部と、上記文書判断部の判断結果に基づいて、ページ本文全体が不透過なアノテーションに蔽われるページを除く、上記文書データのページを印刷する印刷部とを有することを特徴とする、印刷装置が提供される。
【０００９】
本発明の第３の観点によれば、ページ本文とアノテーションとを含み得る文書データの入力を受け付ける文書入力部と、上記入力された文書データの各ページに対して、アノテーションのみのページか否かを判断する文書判断部と、上記文書判断部の判断結果に基づいて、アノテーションのみのページを除く上記文書データのページを印刷データとして出力する印刷データ出力部とを有することを特徴とする、印刷データ出力装置が提供される。
【００１０】
本発明の第４の観点によれば、ページ本文とアノテーションとを含み得る文書データの入力を受け付ける文書入力部と、上記入力された文書データの各ページに対して、ページ本文全体が不透過なアノテーションに蔽われるページか否かを判断する文書判断部と、上記文書判断部の判断結果に基づいて、ページ本文全体が不透過なアノテーションに蔽われるページを除く、上記文書データのページを印刷データとして出力する印刷データ出力部とを有することを特徴とする、印刷データ出力装置が提供される。
【００１１】
本発明の第５の観点によれば、ページ本文とアノテーションとを含み得る文書データの入力を受け付ける文書入力工程と、上記入力された文書データの各ページに対して、アノテーションのみのページか否かを判断する文書判断工程と、上記文書判断工程の判断結果に基づいて、アノテーションのみのページを除く上記文書データのページを印刷する印刷データ出力工程とを有することを特徴とする、印刷方法が提供される。
【００１２】
本発明の第６の観点によれば、ページ本文とアノテーションとを含み得る文書データの入力を受け付ける文書入力工程と、上記入力された文書データの各ページに対して、ページ本文全体が不透過なアノテーションに蔽われるページか否かを判断する文書判断工程と、上記文書判断工程の判断結果に基づいて、ページ本文全体が不透過なアノテーションに蔽われるページを除く、上記文書データのページを印刷する印刷データ出力工程とを有することを特徴とする、印刷方法が提供される。
【００１３】
本発明の第７の観点によれば、ページ本文とアノテーションとを含み得る文書データの入力を受け付ける文書入力工程と、上記入力された文書データの各ページに対して、アノテーションのみのページか否かを判断する文書判断工程と、上記文書判断工程の判断結果に基づいて、アノテーションのみのページを除く上記文書データのページを印刷データとして出力する印刷データ出力工程とを有することを特徴とする、印刷データ出力方法が提供される。
【００１４】
本発明の第８の観点によれば、ページ本文とアノテーションとを含み得る文書データの入力を受け付ける文書入力工程と、上記入力された文書データの各ページに対して、ページ本文全体が不透過なアノテーションに蔽われるページか否かを判断する文書判断工程と、上記文書判断工程の判断結果に基づいて、ページ本文全体が不透過なアノテーションに蔽われるページを除く、上記文書データのページを印刷データとして出力する印刷データ出力工程とを有することを特徴とする、印刷データ出力方法が提供される。
【００１５】
本発明の第９の観点によれば、ページ本文とアノテーションとを含み得る文書データの入力を受け付ける文書入力工程と、上記入力された文書データの各ページに対して、アノテーションのみのページか否かを判断する文書判断工程と、上記文書判断工程の判断結果に基づいて、アノテーションのみのページを除く上記文書データのページを印刷データとして出力する印刷データ出力工程とをコンピュータに行わせるための、コンピュータプログラムが提供される。さらに本発明によれば、上記コンピュータプログラムが記録された記録媒体が提供される。
【００１６】
本発明の第１０の観点によれば、ページ本文とアノテーションとを含み得る文書データの入力を受け付ける文書入力工程と、上記入力された文書データの各ページに対して、ページ本文全体が不透過なアノテーションに蔽われるページか否かを判断する文書判断工程と、上記文書判断工程の判断結果に基づいて、ページ本文全体が不透過なアノテーションに蔽われるページを除く、上記文書データのページを印刷データとして出力する印刷データ出力工程とをコンピュータに行わせるための、コンピュータプログラムが提供される。さらに本発明によれば、上記コンピュータプログラムが記録された記録媒体が提供される。
【発明の効果】
【００１７】
本発明によれば、文書データの印刷時、アノテーションのみのページやページ本文全体がアノテーションに蔽われているページを、ユーザ操作を介さずに印刷対象外に設定することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付して重複説明を省略する。
【００１９】
（第１の実施形態）
本発明の第１の実施形態にかかる印刷装置について説明する。図１は、本実施形態にかかる印刷システム１０の構成を示す説明図である。
【００２０】
印刷システム１０は、ＰＣ（Ｐｅｒｓｏｎａｌ  Ｃｏｍｐｕｔｅｒ）クライアント１００と、印刷装置１８０（本実施形態では、複合機を指す）とを有する。
【００２１】
印刷装置１８０は、ＰＣクライアント１００から文書データ１１０の入力を受け付ける。続いて、印刷装置１８０は、入力を受け付けた文書データ１１０に対して、アノテーションのみのページまたはページ本文全体がアノテーションに蔽われているページ、に該当するか否かの判断を行う。
【００２２】
文書データ１１０は、例えばページ本文のオブジェクト（文章や図など、以下ページ本文と称する）とアノテーションの描画オブジェクト（以下、アノテーションと称する）との分離が可能なＰＤＦ（Ｐｏｒｔａｂｌｅ  Ｄｏｃｕｍｅｎｔ  Ｆｏｒｍａｔ）形式のデータである。
【００２３】
ここで、アノテーションとは、ページ本文に付加される情報である（例えば、電子付箋）。
【００２４】
また、文書データ１１０は、校正情報または更新履歴情報を示すアノテーションのみで構成されるページを含んでもよい。また、文書データ１１０の同一ページには、ページ本文、透過なアノテーションおよび不透過なアノテーションが混在していてもよい。
【００２５】
ここで透過なアノテーションとは、そのアノテーションの下にあるページ本文の内容を透過させて印刷することができるものである。また、不透過なアノテーションとは、そのアノテーションの下にあるページ本文の内容を透過させて印刷することができないものである。
【００２６】
印刷装置１８０は上記判断結果に基づいて、文書データ１１０の、アノテーションのみのページおよびページ本文全体がアノテーションに蔽われているページ、を除いたページを印刷対象ページとして印刷出力する。
【００２７】
ＰＣクライアント１００は、印刷装置１８０とコンピュータ・ネットワーク上において接続された一般のユーザが使う端末である。
【００２８】
ＰＣクライアント１００は、文書データ１１０を含む記憶媒体（例えば、ＦＤ、ＣＤ−Ｒ、ＤＶＤ−Ｒ、ＭＯなど）を読み込むことが可能である。
【００２９】
そして、ＰＣクライアント１００は上記記憶媒体から読み込んだ文書データ１１０を印刷装置１８０に対してダイレクト印刷することができる。それによって文書データ１１０は印刷装置１８０に入力される。
【００３０】
印刷装置１８０は、コントローラ１２０と、プリントエンジン１７０とを有する。コントローラ１２０は、ＰＣクライアント１００から文書データ１１０の入力を受け付ける。また、コントローラ１２０は、印刷装置１８０の記憶装置に保存されている文書データ１１０の入力を受付けてもよい。
【００３１】
コントローラ１２０は、受け付けた文書データ１１０に対して、アノテーションのみのページまたはページ本文全体がアノテーションに蔽われているページか否かの判断を行う。
【００３２】
そして、コントローラ１２０は、上記判断結果に基づいて文書データ１１０の印刷対象ページをＢＭＰ（Ｂｉｔ  ＭａＰ）形式またはＪＰＥＧ（Ｊｏｉｎｔ  Ｐｈｏｔｏｇｒａｐｈｉｃ  Ｅｘｐｅｒｔｓ  Ｇｒｏｕｐ）形式のラスタデータに変換後、プリントエンジン１７０に出力する。
【００３３】
プリントエンジン１７０は、コントローラ１２０から出力されたラスタデータを用いて印刷出力する。
【００３４】
コントローラ１２０は、文書入力部１３０と、文書判断部１４０と、印刷データ出力部１５０とを有する。
【００３５】
文書入力部１３０は、ＰＣクライアント１００から文書データ１１０の入力を受付ける。また、文書入力部１３０は、印刷装置１８０の記憶装置に保存されている文書データ１１０の入力を受付けることも可能である。
【００３６】
ＰＣクライアント１００のデスクトップ画面上にある印刷装置１８０と連携するアプリケーションを示すアイコンの上に、出力対象の文書データ１１０を示すアイコンをドラッグアンドドロップ操作をすると、印刷装置１８０に対するダイレクト印刷要求が発生し、文書データ１１０は文書入力部２１０に入力される。
【００３７】
文書判断部１４０は、文書入力部１３０に入力された文書データ１１０の各ページに対して、アノテーションのみのページかまたはページ本文全体が不透過なアノテーションに蔽われるページか否かを判断する。
【００３８】
印刷データ出力部１５０は文書判断部１４０の判断結果に基づいて、アノテーションのみのページおよびページ本文全体が不透過なアノテーションに蔽われるページ、を除く文書データ１１０のページを印刷対象ページに設定する。
【００３９】
そして、印刷データ出力部１５０は、文書データ１１０の印刷対象ページをＢＭＰ形式またはＪＰＥＧ形式のラスタデータに変換後、プリントエンジン１７０に出力する。
【００４０】
（第２の実施形態）
本発明の第２の実施形態にかかる印刷データ出力装置について説明する。図２は、本実施形態にかかる印刷システム２０の構成を示す説明図である。
【００４１】
印刷システム２０は、印刷データ出力装置２５０（本実施形態では、ＰＣクライアントを指す）と、印刷装置２９０（本実施形態では、複合機を指す）とを有する。
【００４２】
印刷データ出力装置２５０は、文書データ１１０を含む記憶媒体（例えば、ＦＤ、ＣＤ−Ｒ、ＤＶＤ−Ｒ、ＭＯなど）を読み込むことが可能である。
【００４３】
そして、印刷データ出力装置２５０は上記記憶媒体から読み込んだ文書データ１１０を印刷装置２９０に対してダイレクト印刷することができる。
【００４４】
印刷装置データ出力装置２５０は、文書データ１１０に対して、アノテーションのみのページまたはページ本文全体がアノテーションに蔽われているページ、に該当するか否かの判断を行う。
【００４５】
印刷データ出力装置２５０は上記判断結果に基づいて、文書データ１１０の、アノテーションのみのページおよびページ本文全体がアノテーションに蔽われているページ、を除いたページをＰＤＬ（Ｐａｇｅ  Ｄｅｓｃｒｉｐｔｉｏｎ  Ｌａｎｇｕａｇｅ）データ２４０に変換後、印刷装置２９０に出力する。
【００４６】
印刷装置２９０は、印刷データ出力装置２５０より出力されたＰＤＬデータ２４０を用いて印刷出力する。
【００４７】
印刷データ出力装置２５０は、印刷装置２９０の動作を制御する印刷ドライバ２００を有する。印刷ドライバ２００は、文書入力部２１０と、文書判断部２２０と、印刷データ出力部２３０とを有する。
【００４８】
文書入力部２１０は、印刷データ出力装置２５０に接続された記憶媒体から文書データ１１０の入力を受付ける。また、文書入力部２１０は、印刷データ出力装置２５０の記憶装置に保存されている文書データ１１０の入力を受付けることも可能である。
【００４９】
印刷データ出力装置２５０のデスクトップ画面上にある印刷装置２９０と連携するアプリケーションを示すアイコンの上に、出力対象の文書データ１１０を示すアイコンをドラッグアンドドロップ操作をすると、印刷装置２９０に対するダイレクト印刷要求が発生し、文書データ１１０は文書入力部２１０に入力される。
【００５０】
文書判断部２２０は、文書入力部２１０に入力された文書データ１１０の各ページに対して、アノテーションのみのページかまたはページ本文全体が不透過なアノテーションに蔽われるページか否かを判断する。
【００５１】
印刷データ出力部２３０は文書判断部２２０の判断結果に基づいて、アノテーションのみのページおよびページ本文全体が不透過なアノテーションに蔽われるページ、を除く文書データ１１０のページを印刷対象ページに設定する。
【００５２】
そして、印刷データ出力部２３０は、文書データ１１０の印刷対象ページを、印刷装置２９０において解析可能なＰＤＬデータ２４０に変換後、印刷装置２９０に出力する。
【００５３】
印刷装置２９０は、コントローラ２６０と、プリントエンジン２８０とを有する。
【００５４】
コントローラ２６０は印刷データ出力部２３０より出力されたＰＤＬデータをＢＭＰ形式やＪＰＥＧ形式のラスタデータ２７０に変換後、プリントエンジン２８０に出力する。
【００５５】
プリントエンジン２８０は、コントローラ２６０より出力されたラスタデータ２７０を用いて印刷出力する。
【００５６】
（動作）
本発明の実施形態における、文書入力部、文書判断部および印刷データ出力部の動作を詳細に説明する。図３は、上記動作の処理フローを示す説明図である。
【００５７】
ステップＳ１０では、文書入力部はページ本文とアノテーションとを含み得る文書データの入力を受け付ける。
【００５８】
ステップＳ２０では、文書判断部は、文書入力部で入力された文書データのページ（以下、判断対象ページと称する）に対して、アノテーションのみのページか否かを判断する。もし判断対象ページがアノテーションのみのページであれば、処理はステップＳ３０に遷移する。もし判断対象ページがアノテーションのみのページでなければ、処理はステップＳ５０に遷移する。
【００５９】
ステップＳ３０では、文書判断部は、文書データの判断対象ページに対して、ページ本文全体が不透過なアノテーションに蔽われているか否かを判断する。もし、判断対象ページがページ本文全体が不透過なアノテーションに蔽われているのであれば、処理はステップＳ５０に遷移する。もし、判断対象ページがページ本文全体が不透過なアノテーションに蔽われていないのであれば、処理はステップＳ４０に遷移する。
【００６０】
ステップＳ４０では、文書判断部は、判断対象ページを印刷対象ページとして設定する。そして、処理はステップＳ６０に遷移する。
【００６１】
ステップＳ５０では、文書判断部は、判断対象ページを印刷対象外ページとして設定する。そして、処理はステップＳ６０に遷移する。
【００６２】
ステップＳ６０では、判断対象ページがもし最終ページなら、処理はステップＳ８０に遷移し、もし判断対象ページが最終ページでないなら、処理はステップＳ７０に遷移する。
【００６３】
ステップＳ７０では、判断対象ページを１つ進めて、処理はステップＳ２０に遷移する。
【００６４】
ステップＳ８０では、印刷データ出力部は、文書データの印刷対象ページをまとめて印刷に用いるデータに変換後、出力デバイスに出力する。
【００６５】
（効果）
本発明の実施形態によれば、文書データの印刷時、アノテーションのみのページをユーザ操作を介さずに印刷対象外に設定することができる。
【００６６】
例えば文書データにおいて、校正情報や履歴情報などの、アノテーションで独立したページを表示可能にした場合に、上記ページを除くページ本文が存在するページだけを印刷することができる。よって、文書データを印刷するときに使用する用紙を節約できる。
【００６７】
また、本発明の実施形態によれば、文書データの印刷時、ページ本文全体がアノテーションに蔽われているページをユーザ操作を介さずに印刷対象外にすることができる。
【００６８】
例えば、一時的に印刷不要になったと考えられるページを実際に削除することなく、不透過のアノテーションで覆うことで、その印刷不要なページを印刷対象外ページに設定できる。よって、文書データを印刷するときに使用する用紙を節約できる。
【００６９】
ページ本文全体が不透過なアノテーションによって蔽われているページは、アプリケーションでページ本文全体を確認することができる。また上記アプリケーション上で、不透過なアノテーションを外すことで印刷対象外ページから印刷対象ページに変更することもできる。よって文書データを管理する上での利便性向上を図れる。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７１】
例えば、本実施形態において文書判断部は、アノテーションのみのページおよびページ本文全体がアノテーションに蔽われているページを印刷対象外ページに設定したが、アノテーションのみのページだけを印刷対象外ページに設定してもよいし、ページ本文全体がアノテーションに蔽われているページだけを印刷対象外ページに設定してもよい。
【００７２】
例えば、本実施形態において文書判断部は、ページ本文全体がアノテーションに蔽われているページを印刷対象外ページに設定したが、ページ本文の一部が蔽われているページを印刷対象外ページに設定してもよい。
【図面の簡単な説明】
【００７３】
【図１】本発明の第１の実施形態にかかる印刷システムの構成を示す説明図である。
【図２】本発明の第２の実施形態にかかる印刷システムの構成を示す説明図である。
【図３】本発明の実施形態にかかる動作処理フローを示す説明図である。
【符号の説明】
【００７４】
１０，２０  印刷システム  １１０  文書データ、１３０，２１０  文書入力部、１４０，２２０  文書判断部、１５０，２３０  印刷データ出力部、１６０，２７０  ラスタデータ、１８０，２９０  印刷装置、２４０  ＰＤＬデータ、２５０  印刷データ出力装置。
【図１】
2007276377.tif 000003
【図２】
2007276377.tif 000004
【図３】
2007276377.tif 000005